(57)【要約】【課題】  無機ゲルマニウムを、工数の増加や着用感の低下を招くことなく、衣類の腰部付近に配置することで、乱れた生体電流を整え、その結果、腰部付近の血流が良好となるようにし、腰のコリなどの症状の改善に繋げることができるようにした衣類を提供する。【解決手段】  衣類（具体的には、ズボン１０）の裏地である、左右のフロントポケット１８Ｌ，１８Ｒ、腰部に形成された後ろヨーク２２、およびベルト部１６の後身頃１２に接続された部位１６ａにそれぞれ取り付けられるスレーキ２６が、粉砕された無機ゲルマニウム鉱石を練り込んでなるレーヨンと綿とを組み合わせた混紡糸からなるようにする。【選択図】  図３
0003115940.tif 000002
【実用新案登録請求の範囲】
【請求項１】
衣類の裏地が、粉砕された無機ゲルマニウム鉱石を練り込んでなるレーヨンと綿とを組み合わせた混紡糸からなるように構成したことを特徴とする衣類。
【請求項２】
前記裏地が、ズボンのフロントポケット、腰部に形成された後ろヨーク、およびベルト部の後身頃に接続された部位にそれぞれ取り付けられるスレーキからなることを特徴とする請求項１記載の衣類。
【請求項３】
前記裏地が、シャツの肩部に形成された背ヨーク、および台衿にそれぞれ取り付けられる芯地からなることを特徴とする請求項１記載の衣類。
【考案の詳細な説明】
【技術分野】
【０００１】
この考案は、衣類に関する。
【背景技術】
【０００２】
人体を形成する細胞は、プラスの電気を帯びた原子核とマイナスの電気を帯びた電子とを備えた原子から構成される。また人体には、微弱な電流（以下「生体電流」という）が流れている。ところが、上記した原子のマイナス電子が、ストレスや排気ガスなどの影響によって放出される（弾き飛ばされる）、即ち、プラスとマイナスのバランスが崩れると、生体電流が人体のなかをスムーズに流れなくなって肩や首のコリ、腰や膝の痛み、およびめまいなどの症状が現れることがある。
【０００３】
ところで、無機ゲルマニウムは、所定温度（約３２［℃］）以上の環境にあるとき、マイナス電子を放出することが知られている。そこで、人体の温度が約３６［℃］前後であることから、従来より、無機ゲルマニウムを人体の近傍に配置、具体的には、無機ゲルマニウム鉱石（結晶）を衣類に取り付け、放出されたマイナス電子を前述の原子へ移動させることで、原子を正常な状態とすると共に、乱れた生体電流を整え、その結果、肩部や腰部付近の血流が良好となり、肩や腰のコリなどの症状の改善に繋げるようにした技術が提案されている（例えば、特許文献１参照）。
【特許文献１】特開２０００−１６０４０２号公報（段落００１０、図３など）
【考案の開示】
【考案が解決しようとする課題】
【０００４】
しかしながら、特許文献１に記載される技術にあっては、粉末にした無機ゲルマニウム鉱石を練り込んだペーストを衣類の肩部や腰部に塗布する構成であるため、工数が増加するという不具合があった。また、既に完成した衣類にペーストを塗布するため、着用者が違和感を覚え、着心地（着用感）が低下する恐れがあった。
【０００５】
従って、この考案の目的は上記した課題を解決することにあり、無機ゲルマニウムを、工数の増加や着用感の低下を招くことなく、衣類の肩部や腰部付近に配置することで、乱れた生体電流を整え、その結果、肩部や腰部付近の血流が良好となるようにし、肩や腰のコリなどの症状の改善に繋げることができるようにした衣類を提供することにある。
【課題を解決するための手段】
【０００６】
上記の課題を解決するために、請求項１にあっては、衣類の裏地が、粉砕された無機ゲルマニウム鉱石を練り込んでなるレーヨンと綿とを組み合わせた混紡糸からなるように構成した。
【０００７】
また、請求項２に係る衣類にあっては、前記裏地が、ズボンのフロントポケット、腰部に形成された後ろヨーク、およびベルト部の後身頃に接続された部位にそれぞれ取り付けられるスレーキからなるように構成した。
【０００８】
また、請求項３に係る衣類にあっては、前記裏地が、シャツの肩部に形成された背ヨーク、および台衿にそれぞれ取り付けられる芯地からなるように構成した。
【考案の効果】
【０００９】
請求項１に係る衣類にあっては、衣類の裏地が、粉砕された無機ゲルマニウム鉱石を練り込んでなるレーヨンと綿とを組み合わせた混紡糸からなるように構成したので、無機ゲルマニウムを、工数の増加や着用感の低下を招くことなく、衣類の肩部や腰部付近に配置することができる。これにより生体電流は、無機ゲルマニウム鉱石から放出されたマイナス電子によって整えられ、その結果、肩部や腰部付近の血流が良好となり、肩や腰のコリなどの症状の改善に繋げることができる。さらには血流が良好となることから、代謝が促進される、即ち、カロリー消費量が増加し、結果として快眠に繋げることができる。
【００１０】
また、請求項２に係る衣類にあっては、無機ゲルマニウム鉱石を練り込んでなるレーヨンと綿とを組み合わせた混紡糸からなる裏地（スレーキ）が、ズボンのフロントポケット、腰部に形成された後ろヨーク、およびベルト部の後身頃に接続された部位にそれぞれ取り付けられるスレーキからなるように構成、即ち、無機ゲルマニウムを、衣類、具体的にはズボンの腰部付近に配置するように構成したので、上記した効果に加え、腰部付近の血流がより一層良好となり、腰のコリなどの症状の改善に繋げることができる。
【００１１】
また、請求項３に係る衣類にあっては、無機ゲルマニウム鉱石を練り込んでなるレーヨンと綿とを組み合わせた混紡糸からなる裏地（芯地）が、シャツの肩部に形成された背ヨーク、および台衿にそれぞれ取り付けられる芯地からなるように構成、即ち、無機ゲルマニウムを、衣類、具体的にはシャツの肩部や首回り付近に配置するように構成したので、請求項１で述べた効果に加え、肩部付近の血流がより一層良好となり、肩のコリなどの症状の改善に繋げることができる。
【考案を実施するための最良の形態】
【００１２】
以下、添付図面に即してこの考案に係る衣類を実施するための最良の形態について説明する。
【実施例１】
【００１３】
図１は、この考案の第１実施例に係る衣類の正面図であり、図２は、図１に示す衣類の背面図である。
【００１４】
図１および図２において、符号１０は衣類、具体的にはズボン（パンツ）を示す。ズボン１０は、前身頃１２と、後身頃１４と、前身頃１２と後身頃１４の上端に接続されるベルト部１６と、前身頃１２に形成される２個のフロントポケット１８とを備える。以下、着用者から見て右側（即ち、図１において左側）のフロントポケットを「右側フロントポケット」と呼び、符号１８Ｒで示す。また、着用者から見て左側（即ち、図１において右側）のフロントポケットを「左側フロントポケット」と呼び、符号１８Ｌで示す。
【００１５】
図２に示す如く、ズボン１０はさらに、後身頃１４に形成される２個のヒップポケット２０を備えると共に、そのヒップポケット２０とベルト部１６との間、別言すれば、ズボン１０の腰部には、略台形状を呈した２枚の布地からなる後ろヨーク２２が形成される。図２において、着用者から見て右側（即ち、図２で右側）のヒップポケットを符号２０Ｒで、着用者から見て左側（即ち、図２で左側）のヒップポケットを符号２０Ｌで示す。
【００１６】
図３は、図１に示すベルト部１６付近の内側をズボン１０を展開して表す拡大展開図である。尚、この明細書で「内側」とは、着用された衣類において着用者に近接する方向あるいは被覆される部分を意味する。
【００１７】
図３に示すように、ズボン１０の内側であって、左側フロントポケット１８Ｌ、右側フロントポケット１８Ｒ、腰部に形成された後ろヨーク２２、およびベルト部１６の後身頃１４に接続された部位１６ａには、それぞれスレーキ（裏地）２６が取り付けられる。尚、図３において、理解の便宜のため、各スレーキ２６を斜線で示す。
【００１８】
また、ベルト部１６の下方には、ベルト部１６の縫い代の端がほつれないようにするためのパイピング２８が、その内側を周回するように形成される。
【００１９】
上記の如く取り付けられた各スレーキ２６の生地は、この考案で特徴的な混紡糸、具体的には、粉砕された無機ゲルマニウム鉱石を練り込んでなるレーヨンと綿とを組み合わせた混紡糸からなる。
【００２０】
混紡糸についてより具体的に説明すると、無機ゲルマニウム鉱石を粒度の平均が０．４［μｍ］程度となるように粉砕し、それをレーヨン（木材パルプのセルロース部分をアルカリ処理し、薬品（例えば、ビスコース溶液、銅アンモニア溶液など）で溶かして繊維にしたもの）に練り込む。次いで、そのレーヨンと綿とを組み合わせて前記した混紡糸が作られる。また、この混紡糸におけるレーヨンと綿の混率は、レーヨンが約２０［％］、綿が約８０［％］である。
【００２１】
このように、ズボン１０にあっては、その裏地である各スレーキ２６の生地が上記した混紡糸から作られるため、無機ゲルマニウムが、ズボン１０の腰部を周回するように取り付けられる、換言すれば、着用者の腰部回りおよび腿付け根部付近に配置される。
【００２２】
次いで、上記の如く構成されたズボン１０を着用する前と着用した後の下半身の温度変化について説明する。
【００２３】
最初に温度測定の手順について説明する。健常な成年女子（２２歳）を被験者とし、１０分間安静を保った後、下半身の正面および背面の表面温度を測定する。次いで、ズボン１０を着用し、３０分経過後脱衣して下半身の正面および背面の表面温度を再度測定する。
【００２４】
図４（ａ）および図５（ａ）は、ズボン１０着用前の下半身の正面および背面の測定結果を示す温度分布図であり、図４（ｂ）および図５（ｂ）は、ズボン１０着用後の下半身の正面および背面の測定結果を示す温度分布図である。尚、図４および図５において、温度の高低をドットの密度で示した。即ち、温度が高い部分においてはドットの密度が高く、温度が低くなるにつれてドットの密度が減少するようにして示した。
【００２５】
図４（ａ）と図４（ｂ）、図５（ａ）と図５（ｂ）をそれぞれ比較すると、スレーキ２６が配置された近傍の部位、即ち、被験者の腹部から腿付け根部にかけて、また腰部から腿の裏側にかけての表面温度が上昇している（換言すれば、血流が良好になっている）のが分かる。具体的には、着用前の腹部の温度が３２．５〜３３．５［℃］であったのに対し、着用後は３４．０〜３４．５［℃］となり、約１．０〜１．５［℃］上昇した。また、着用前の腰部についても同様に、温度が３２．５〜３３．５［℃］であったのに対し、着用後は３３．５〜３４．５［℃］となり、約１．０〜１．５［℃］上昇した。また、スレーキ２６が配置されない部位、例えば、被験者の脹脛付近にあっても、表面温度が０．５［℃］程度上昇しているのが分かる。
【００２６】
ここで、無機ゲルマニウムを含んだ混紡糸を人体の近傍に配置する前と後の血液の状態について説明する。
【００２７】
まず血液の画像を撮影する手順について説明すると、健常な被験者の指先から血液を採取し、それを生体血液細胞分析位相差顕微鏡によって撮影する。次いで、薄手の長袖シャツを着用した被験者の腕部に、前記した混紡糸からなる生地を巻き付け、３０分経過後に再度指先から血液を採取してそれを撮影する。
【００２８】
図６（ａ）は、混紡糸からなる生地を腕部に巻き付ける前の血液の状態を撮影した画像であり、図６（ｂ）は、巻き付けた後の血液の状態を撮影した画像である。
【００２９】
生地を巻き付ける前の赤血球３０ａは、図６（ａ）に示す如く、マイナス電子が放出されて変形あるいはくっ付いてしまっている。しかしながら、変形あるいはくっ付いていた赤血球３０ａは、生地に含まれる無機ゲルマニウムからマイナス電子が引き寄せられる（供給される）ことで、図６（ｂ）に示すように、正常な形状を呈する赤血球３０ｂとなり、よって血流が良好となることが分かる。従って、ズボン１０を着用したときも同様の結果および効果を得ることができると推測できる。
【００３０】
このように、この考案の第１実施例に係る衣類、具体的にはズボン１０にあっては、ズボン１０の裏地が、粉砕された無機ゲルマニウム鉱石を練り込んでなるレーヨンと綿とを組み合わせた混紡糸からなるように構成したので、無機ゲルマニウムを、工数の増加や着用感の低下を招くことなく、ズボン１０の腰部付近に配置することができる。これにより生体電流は、無機ゲルマニウム鉱石から放出されたマイナス電子によって整えられ、その結果、腰部付近の血流が良好となり、腰のコリなどの症状の改善に繋げることができる。さらには血流が良好となることから、代謝が促進される、即ち、カロリー消費量が増加し、結果として快眠に繋げることができる。
【００３１】
また、無機ゲルマニウム鉱石を練り込んでなるレーヨンと綿とを組み合わせた混紡糸からなる裏地（スレーキ）が、ズボン１０の左右のフロントポケット１８Ｌ，１８Ｒ、腰部に形成された後ろヨーク２２、およびベルト部１６の後身頃１２に接続された部位１６ａにそれぞれ取り付けられるスレーキ２６からなるように構成、即ち、無機ゲルマニウムを、衣類、具体的にはズボン１０の腰部付近、より具体的には、着用者の腰部回りおよび腿付け根部付近に配置するように構成したので、腰部付近の血流がより一層良好となり、腰のコリなどの症状の改善に繋げることができる。
【実施例２】
【００３２】
次いで、この考案の第２実施例に係る衣類について説明する。
【００３３】
図７は、この考案の第２実施例に係る衣類の正面図であり、図８は、図７に示す衣類の背面図である。
【００３４】
図７および図８において、符号３４は衣類、具体的にはシャツを示す。シャツ３４は、前身頃３６と、後身頃３８と、前身頃３６と後身頃３８の上端に接続される衿部４０とを備える。また、図８に示す如く、シャツ３４の後身頃３８であって、衿部４０の下方、即ち、肩部付近には、１枚の布地からなる背ヨーク４２が形成される。
【００３５】
図９は、図７に示す衿部４０の構成を説明するための拡大斜視図である。
【００３６】
衿部４０は、前身頃３６と後身頃３８（正確には、後身頃３８の背ヨーク４２）の上端に接続される台衿４０ａと、台衿４０ａに接続される羽根衿（上衿）４０ｂとからなる。台衿４０ａの内部４０ａ１には、芯地（裏地。以下「台衿用芯地」という）４６が貼り付けられる（取り付けられる）。尚、台衿用芯地４６については後述する。
【００３７】
図１０は、図８に示す後身頃３８を内側から見たときの正面図である。
【００３８】
図１０に示す如く、後身頃３８の背ヨーク４２の内側には、芯地（裏地。以下「背ヨーク用芯地」という）４８が貼り付けられる（取り付けられる）。尚、図１０において、理解の便宜のため、背ヨーク用芯地４８を斜線で示す。
【００３９】
上記の如く取り付けられた台衿用芯地４６と背ヨーク用芯地４８は、前述した混紡糸、即ち、粉砕された無機ゲルマニウム鉱石を練り込んでなるレーヨンと綿とを組み合わせた混紡糸から作られた織物からなる。
【００４０】
このように、シャツ３４にあっては、その裏地である台衿用芯地４６と背ヨーク用芯地４８が上記した混紡糸から作られた織物からなるため、無機ゲルマニウムが、シャツ３４の肩部付近に取り付けられる、換言すれば、着用者の肩部、背中および首回り付近に配置される。
【００４１】
次いで、上記の如く構成されたシャツ３４を着用する前と着用した後の上半身の温度変化について説明する。
【００４２】
測定の手順については第１実施例と同一とし、図１１（ａ）および図１２（ａ）は、シャツ３４着用前の上半身の正面および背面の測定結果を示す温度分布図であり、図１１（ｂ）、図１２（ｂ）は、シャツ３４着用後の上半身の正面および背面の測定結果を示す温度分布図である。尚、図１１および図１２において、温度の高低は、図４などと同様、ドットの密度で示した。
【００４３】
図１１（ａ）と図１１（ｂ）、図１２（ａ）と図１２（ｂ）をそれぞれ比較すると、台衿用芯地４６と背ヨーク用芯地４８が配置された近傍の部位、即ち、被験者の首周りおよび肩部から背中にかけて表面温度が上昇している（換言すれば、血流が良好になっている）のが分かる。具体的には、着用前の首周りの温度が３３．５〜３４．５［℃］であったのに対し、着用後は３４．０〜３５．５［℃］となり、約１．０〜１．５［℃］上昇した。また、上半身の肩部から背面においても同様に、着用前の温度が３３．０〜３４．０［℃］であったのに対し、着用後は３４．０〜３５．０［℃］となり、約１．０〜１．５［℃］上昇した。また、各芯地４６，４８が配置されない部位、例えば、被験者の胸部から腹部にかけて、背中の下方から腰部にかけて、および両腕においても、表面温度が０．５〜１．５［℃］程度上昇しているのが分かる。
【００４４】
このように、第２実施例にあっては、無機ゲルマニウム鉱石を練り込んでなるレーヨンと綿とを組み合わせた混紡糸からなる裏地が、シャツ３４の肩部に形成された背ヨーク４２に取り付けられる背ヨーク用芯地４８と、台衿４０ａに取り付けられる台衿用芯地４６とからなるように構成したので、無機ゲルマニウムを、工数の増加や着用感の低下を招くことなく、シャツ３４の肩部付近に配置することができる。また、無機ゲルマニウムが衣類、具体的にはシャツ３４の肩部や首回り付近、より具体的には、着用者の肩部、背中および首回り付近に配置されるため、肩部付近の血流がより一層良好となり、肩のコリなどの症状の改善に繋げることができる。
【００４５】
尚、残余の効果は第１実施例と同様であるので、説明を省略する。
【００４６】
以上の如く、この考案の第１および第２実施例にあっては、衣類（ズボン１０、シャツ３４）の裏地が、粉砕された無機ゲルマニウム鉱石を練り込んでなるレーヨンと綿とを組み合わせた混紡糸からなるように構成した。
【００４７】
また、第１実施例にあっては、前記裏地が、ズボン（１０）のフロントポケット（右側フロントポケット１８Ｒ、左側フロントポケット１８Ｌ）、腰部に形成された後ろヨーク（２２）、およびベルト部（１６）の後身頃（１４）に接続された部位（１６ａ）にそれぞれ取り付けられるスレーキ（２６）からなるように構成した。
【００４８】
また、第２実施例にあっては、前記裏地が、シャツ（３４）の肩部に形成された背ヨーク（４２）、および台衿（４０ａ）にそれぞれ取り付けられる芯地（背ヨーク用芯地４８、台衿用芯地４６）からなるように構成した。
【００４９】
尚、上記において、ズボン１０を長ズボンとしたが、それに限られるものではなく、半ズボンなどであってもよい。また、シャツ３４を長袖としたが、半袖、七分袖などであってもよい。
【００５０】
また、第１実施例に係るズボン１０において、パイピング２８の生地を上記した混紡糸から作るようにしてもよい。
【図面の簡単な説明】
【００５１】
【図１】この考案の第１実施例に係る衣類（ズボン）の正面図である。
【図２】図１に示す衣類（ズボン）の背面図である。
【図３】図１に示すベルト部付近の内側をズボンを展開して表す拡大展開図である。
【図４】図１に示すズボンの着用前と着用後の下半身を正面から見たときの温度分布図である。
【図５】図１に示すズボンの着用前と着用後の下半身を背面から見たときの、図４と同様な温度分布図である。
【図６】混紡糸からなる生地を腕部に巻き付ける前と後の血液の状態を撮影した画像である。
【図７】この考案の第２実施例に係る衣類（シャツ）の正面図である。
【図８】図７に示す衣類（シャツ）の背面図である。
【図９】図７に示す衿部の構成を説明するための拡大斜視図である。
【図１０】図８に示す後身頃を内側から見たときの正面図である。
【図１１】図７に示すシャツの着用前と着用後の上半身を正面から見たときの温度分布図である。
【図１２】図７に示すシャツの着用前と着用後の上半身を背面から見たときの、図１１と同様な温度分布図である。
【符号の説明】
【００５２】
１０  ズボン（衣類）、１４  後身頃、１６  ベルト部、１６ａ  （ベルト部の後身頃に接続された）部位、１８Ｌ  左側フロントポケット（フロントポケット）、１８Ｒ  右側フロントポケット（フロントポケット）、２２  （ズボンの）後ろヨーク、２６  スレーキ、３４  シャツ（衣類）、４０ａ  台衿、４２  （シャツの）背ヨーク、４６  台衿用芯地、４８  背ヨーク用芯地
【図１】
0003115940.tif 000003
【図２】
0003115940.tif 000004
【図３】
0003115940.tif 000005
【図４】
0003115940.tif 000006
【図５】
0003115940.tif 000007
【図７】
0003115940.tif 000008
【図８】
0003115940.tif 000009
【図９】
0003115940.tif 000010
【図１０】
0003115940.tif 000011
【図１１】
0003115940.tif 000012
【図１２】
0003115940.tif 000013
【図６】
0003115940.tif 000014
【手続補正書】
【提出日】平成17年8月8日(2005.8.8)
【手続補正１】
【補正対象書類名】実用新案登録請求の範囲
【補正対象項目名】全文
【補正方法】変更
【補正の内容】
【実用新案登録請求の範囲】
【請求項１】
少なくとも裏地を備えた衣類において、前記裏地が、粉砕された無機ゲルマニウム鉱石を練り込んでなるレーヨンと綿とを組み合わせた混紡糸からなるように構成したことを特徴とする衣類。
【請求項２】
前記衣類はズボンからなり、前記ズボンがフロントポケットと、腰部に形成された後ろヨークと、ベルト部と、および前記フロントポケットと後ろヨークとベルト部の後身頃に接続された部位にそれぞれ取り付けられるスレーキとを備えると共に、前記裏地が前記スレーキからなることを特徴とする請求項１記載の衣類。
【請求項３】
前記衣類はシャツからなり、前記シャツが肩部に形成された背ヨークと、台衿と、および前記背ヨークと台衿にそれぞれ取り付けられる芯地とを備えると共に、前記裏地が前記芯地からなることを特徴とする請求項１記載の衣類。
【手続補正２】
【補正対象書類名】明細書
【補正対象項目名】０００６
【補正方法】変更
【補正の内容】
【０００６】
上記の課題を解決するために、請求項１にあっては、少なくとも裏地を備えた衣類において、前記裏地が、粉砕された無機ゲルマニウム鉱石を練り込んでなるレーヨンと綿とを組み合わせた混紡糸からなるように構成した。
【手続補正３】
【補正対象書類名】明細書
【補正対象項目名】０００７
【補正方法】変更
【補正の内容】
【０００７】
また、請求項２に係る衣類にあっては、前記衣類はズボンからなり、前記ズボンがフロントポケットと、腰部に形成された後ろヨークと、ベルト部と、および前記フロントポケットと後ろヨークとベルト部の後身頃に接続された部位にそれぞれ取り付けられるスレーキとを備えると共に、前記裏地が前記スレーキからなるように構成した。
【手続補正４】
【補正対象書類名】明細書
【補正対象項目名】０００８
【補正方法】変更
【補正の内容】
【０００８】
また、請求項３に係る衣類にあっては、前記衣類はシャツからなり、前記シャツが肩部に形成された背ヨークと、台衿と、および前記背ヨークと台衿にそれぞれ取り付けられる芯地とを備えると共に、前記裏地が前記芯地からなるように構成した。